(57)【要約】【課題】操作軸の長さに拘らず良好な防水機能が得られ、しかも、つまみで覆われるようにコンパクトに形成できる防水パッキング構造を提供する。【解決手段】回転操作部品２の操作軸２ａがパネル１の穴１ａから突出するようにパネル１に取り付けられる前記操作部品２の前記操作軸２ａの回りに前記パネル１の表面から突出する円筒面を有する部材５を設け、前記円筒面と当接する略円筒面形状の円筒形状部と前記円筒形状部と連なる頂部とで形成され、前記頂部に設けた穴４ａの縁面が前記操作軸２ａに圧接するパッキング４を前記円筒面に被せ、前記円筒形状部にリング形状部材６を嵌めて前記パッキングの円筒形状部を前記部材５の円筒面に圧接した。【選択図】図３
2010287366.tif 000002
【特許請求の範囲】
【請求項１】
穴が形成されたパネルと、
操作軸が前記穴から突出するように前記パネルに取付けられた、回転・上下動・傾動のいずれかを行う操作部品と、
前記操作軸の回りに配置された前記パネルから突出する円筒面を有する円筒部材と、
前記操作軸が密接して挿通する穴を上部に有し、前記円筒面に当接し、前記円筒部材を覆う防水パッキングと、
前記円筒面と当接する前記防水パッキングの外周部に嵌めて、前記円筒面に前記防水パッキングを圧接するリング形状部材と、
からなる防水パッキング構造。
【請求項２】
前記防水パッキングの前記操作軸方向の断面形状における前記操作軸が密接して挿通する穴の縁面形状が、半円形である、
請求項１に記載された防水パッキング構造。
【請求項３】
前記パネルの表面に円形溝が形成され、
前記防水パッキングの下端が前記円形溝に嵌め込まれる、
請求項１または２に記載された防水パッキング構造。
【請求項４】
前記円形溝の底および前記防水パッキングの下端が互いに密接する歯形形状である、
請求項１から３のいずれかに記載された防水パッキング構造。
【請求項５】
前記円筒部材が、前記操作部品の前記操作軸の軸受周囲に形成されたおねじと螺合し、前記操作部品をパネルに締着するナットである、
請求項１から４のいずれかに記載された防水パッキング構造。
【請求項６】
前記円筒面を有する部材が、前記パネルに形成されたリング状突起である、
請求項１から４のいずれかに記載された防水パッキング構造。
【発明の詳細な説明】
【技術分野】
【０００１】
この発明は電子機器に係わり、特に、その回転／及び又は上下動／及び又は傾動操作部品の操作軸回りの防水パッキング構造に関する。
【背景技術】
【０００２】
特開平２００３−４１４４号公報に開示された従来のシャフトの防水パッキングの例を図９〜図１２に示す。図９は従来の回転操作部品の操作軸回りの防水パッキングの例を示す斜視図、図１０は同回転操作部品の操作軸回りの防水パッキングを切り欠いて示す斜視図、図１１は同回転操作部品の操作軸回りの防水パッキングを示す分解斜視図、図１２は同回転操作部品の操作軸回りの防水パッキングを示す断面図である。
【０００３】
図１１において、ロータリ部品１０２のシャフト１０５は軸受１０３に回転自在に支持されている。軸受１０３の周囲にはおねじが形成されており、ロータリ部品１０２のシャフト１０５を操作パネル１０１の穴に挿通させた状態で軸受１０３のおねじにナット１０４を螺合させてロータリ部品１０２を操作パネル１０１に固定する。
【０００４】
パッキング１０７の円筒部上部には図１１に示すように４個のボス１０７ａが設けられており、このボス１０７ａは図１０に示すように、つまみ１０６の凹部に嵌合されてパッキング１０７がつまみ１０６に取り付けられる。パッキング１０７の下部にはスカート状のヘラ１０７ｂが形成されている。
【０００５】
このようにパッキング１０７が取り付けられたつまみ１０６をシャフト１０５に嵌合させる。なお、つまみ１０６の嵌合穴およびシャフト１０５の上端はＤ形状となっており、つまみ１０６とシャフト１０５は一体となって回転する。
【０００６】
このように組み付けられたパッキング１０７は図１２の断面図に示すように、円筒部下部とつまみ１０６との圧接面で第１シール部ｃを形成し、ヘラ１０７ｂの周囲と操作パネル１０１の上面との圧接面で第２シール部ｄを形成する。なお、図１２に示すように、つまみ１０６とパッキング１０７の外径は略同一の外径Ｄとなっている。
【０００７】
上記した従来の防水パッキングはシャフトの長さおよび防水パッキングとシャフトの嵌合状態が適切であると、図１３（ｂ）に示すようにパッキングのヘラと操作パネルの圧接状態が正常となり良好な防水機能が得られる。
【０００８】
シャフトの長さが短いときの状態を図１３（ａ）に示す。この場合はつまみの高さが２点鎖線で比較するように低くなり、つまみの下端が図の円内に示すようにパッキングのヘラを押さえる状態となる。この場合はシャフトを回転させるトルクが大きくなる。
【０００９】
また、シャフトの長さが長いときの状態を図１３（ｃ）に示す。この場合はつまみの高さが２点鎖線で比較するように高くなり、図の円内に示すようにパッキングのヘラが操作パネルから離れ防水機能が得られない。
【００１０】
さらに、つまみの嵌合状態での上下位置に追従させるようにヘラの外径を大きくして撓み量を大きくする必要があり、図９に示すように防水パッキング７が外部から見えて見栄えが悪い。そして、防水パッキング７と操作パネル１０１との圧接部が外部に露出しているので異物の挟み込みが発生する恐れがある。また、防水パッキングのヘラが操作パネルと面接触した状態で回転するため、異音が発生することがあった。
【特許文献１】特開平２００３−４１４４号公報、段落００１２〜段落００１５、図１
【発明の概要】
【発明が解決しようとする課題】
【００１１】
この発明は上記した点に鑑みてなされたものであって、その目的とするところは、操作軸の長さに拘らず良好な防水機能が得られ、しかも、つまみで覆われるようにコンパクトに形成できる防水パッキング構造を提供することにある。
【課題を解決するための手段】
【００１２】
この発明の防水パッキング構造は、穴が形成されたパネルと、操作軸が前記穴から突出するように前記パネルに取付けられた、回転・上下動・傾動のいずれかを行う操作部品と、前記操作軸の回りに配置された前記パネルから突出する円筒面を有する円筒部材と、前記操作軸が密接して挿通する穴を上部に有し、前記円筒面に当接し、前記円筒部材を覆う防水パッキングと、前記円筒面と当接する前記防水パッキングの外周部に嵌めて、前記円筒面に前記防水パッキングを圧接するリング形状部材と、からなるものである。
【００１３】
また、前記防水パッキング構造において、前記防水パッキングの前記操作軸方向の断面形状における前記操作軸が密接して挿通する穴の縁面形状を半円形としたものである。
【００１４】
また、前記各防水パッキング構造において、前記各防水パッキング構造において、前記パネルの表面に円形溝が形成され、前記防水パッキングの下端が前記円形溝に嵌め込まれる、ものである。
【００１５】
また、前記各防水パッキング構造において、前記円形溝の底および前記防水パッキングの下端を互いに密接する歯形形状としたものである。
【００１６】
また、前記各防水パッキング構造において、前記円筒部材を、前記操作部品の前記操作軸の軸受周囲に形成されたおねじと螺合し、前記操作部品をパネルに締着するナットとしたものである。
【００１７】
また、同各防水パッキング構造において、前記円筒面を有する部材を、前記パネルに形成されたリング状突起としたしたものである。
【発明の効果】
【００１８】
この発明の防水パッキング構造によれば、シャフトの長さに拘らず良好な防水機能が得られ、しかも、つまみで覆われるようにコンパクトに形成できる。
【図面の簡単な説明】
【００１９】
【図１】この発明の実施例１である回転操作部品の操作軸回りの防水パッキング構造を示す外観斜視図である。
【図２】同回転操作部品の操作軸回りの防水パッキング構造を切り欠いて示す斜視図である。
【図３】同回転操作部品の操作軸回りの防水パッキング構造を示す分解斜視図である。
【図４】同回転操作部品の操作軸回りの防水パッキングの部材構造を一部切り欠きまたは透視して示す分解斜視図である。
【図５】図５（ａ）は同回転操作部品の操作軸回りの防水パッキング構造を示す断面図、図５（ｂ）は図５（ａ）におけるＡ部拡大図である。
【図６】この発明の実施例２である回転および上下動操作部品の操作軸回りの防水パッキング構造を一部透視して示す断面図である。
【図７】この発明の実施例３である回転および傾動操作部品の操作軸回りの防水パッキング構造を一部部材を省略し透視して示す断面図である。
【図８】同操作軸回りの防水パッキング構造を示す分解斜視図である。
【図９】従来の回転操作部品の操作軸回りの防水パッキング構造の例を示す斜視図である。
【図１０】同回転操作部品の操作軸回りの防水パッキング構造を切り欠いて示す斜視図である。
【図１１】同回転操作部品の操作軸回りの防水パッキンをグ構造を示す分解斜視図である。
【図１２】同回転操作部品の操作軸回りの防水パッキング構造を示す断面図である。
【図１３】同回転操作部品の操作軸回りの防水パッキング構造の作用を説明するための断面図である。
【発明を実施するための形態】
【００２０】
以下この発明を実施するための形態を実施例に即して説明する。
【実施例１】
【００２１】
図１はこの発明の実施例１である回転操作部品の操作軸回りの防水パッキング構造を示す外観斜視図、図２は同回転操作部品の操作軸回りの防水パッキング構造を切り欠いて示す斜視図、図３は同回転操作部品の操作軸回りの防水パッキング構造を示す分解斜視図、図４は同回転操作部品の操作軸回りの防水パッキング構造の部材を一部切り欠きまたは透視して示す分解斜視図、図５（ａ）は同回転操作部品の操作軸回りの防水パッキング構造を示す断面図、図５（ｂ）は図５（ａ）におけるＡ部拡大図である。
【００２２】
図３において、回転操作部品２の操作軸２ａはおねじ２ｂが形成された軸受に回転自在に支持されている。回転操作部品２の操作軸２ａをパネル１の操作軸挿通穴１ａに挿通させた状態でおねじ２ｂにナット５を螺合させて回転操作部品２をパネル１に固定する。ナット５の周囲面は滑らかな円筒面であり、ナット５の上面には工具係合溝が設けられており、ナット５はこの工具係合溝と係合する工具により締め付けられる。
【００２３】
このようにパネル１に固定された回転操作部品２の操作軸２ａを挿通させるようにして防水パッキング４を被せ、防水パッキング４の下端をパネル１に設けた円形溝１ｂに嵌入させる。なお、操作軸２ａを挿通させる防水パッキング４の穴４ａの縁面は半円回転面に形成されており、Ｏリングを挿通した軸と同様の圧接接触状態が得られる。
【００２４】
図４に示すように、防水パッキング４の下端とパネル１の円形溝１ｂの底は互いに密接する歯形形状となっており、防水パッキング４はパネル１に対して回転しないように安定して支持されている。
【００２５】
このように、ナット５に被せた防水パッキング４の下端部の円筒形状部に平板形状のリング形状部材６が嵌められる。このリング形状部材６は防水パッキング４の円筒形状部内面をナット５の円筒面に圧接する。
【００２６】
このようにパネル１に固定され、操作軸２ａ回りに防水パッキング４が配置された回転操作部品２の操作軸２ａにつまみ３が嵌合される。つまみ３の操作軸嵌合穴３ａと操作軸２ａの上端は図２に示すように、Ｄ形状となっており、つまみ３と操作軸２ａは一体となって回転する。
【００２７】
図５により、防水パッキング４のシール構造を説明する。防水パッキング４の穴４ａの内径は操作軸２ａの外径より小さく穴４ａは操作軸２ａに圧接されて第１シール部ａが形成される。また、防水パッキング４の下端の円筒形状部の内面はリング形状部材６によりナット５の円筒面に静止状態で圧接されて第２シール部ｂが形成される。
【００２８】
防水パッキング４の穴４ａは操作軸２ａに対して滑るため、操作軸２ａの長さはシール状態や操作軸２ａの回転トルクに影響を与えない。そして、第１シール部ａは防水パッキング４が安定した状態で固定され、Ｏリングと同様の圧接状態が得られるので、良好な防水機能が得られる。そして、異音が発生することがない。
【００２９】
また、第２シール部ｂは静止圧接状態となっているので、良好な防水機能が得られ、また、防水パッキングを弾性変形させる部分を大きくする必要がないので防水パッキングをコンパクトに構成することができる。そして、パネル１の外部に水が衝突しても、第１シール部ａと第２シール部ｂで防水されてパネル１の操作軸挿通穴１ａからパネル１内に水が侵入することが完全に防止される。
【００３０】
上記のようにコンパクトに形成された防水パッキング４はつまみ３に完全に覆われて、図に示すように外部から見えず、見栄えが良くなる。また、防水パッキング４とパネル１の間に異物が挟み込もれる恐れがない。
【実施例２】
【００３１】
図６はこの発明の実施例２である回転および上下動操作部品の操作軸回りの防水パッキング構造を一部透視して示す断面図である。この例では実施例１と同様のパネル１にスイッチ付きボリュームのような回転および上下動操作部品７が取り付けられる。
【００３２】
上下動操作部品７のおねじ７ｂと螺合する実施例１と同様のナット５により上下動操作部品７はパネル１に締着され、上下動操作部品７の操作軸７ａには実施例１と同様のつまみが嵌着される。そして、実施例１と同様の防水パッキング４により操作軸７ａ回りの防水機能を第１シール部ａおよび第２シール部ｂで得ている。
【００３３】
操作軸７ａは図６に矢印で示すように、回転操作および上下動操作がされるが、操作軸７ａには防水パッキング４がＯリングと同様に滑らかに圧接されているので防水パッキング４の変形および滑りによりスムーズな上下動操作が可能である。
【実施例３】
【００３４】
図７はこの発明の実施例３である回転および傾動操作部品の操作軸回りの防水パッキング構造を一部部材を省略し透視して示す断面図、図８は同操作軸回りの防水パッキング構造を示す分解斜視図である。
【００３５】
この例では図８に示すように回転および傾動操作部品１２はシャーシ９にねじ１１、１１で締着されるホルダ１０によりシャーシ９の側面に固定される。このように固定された傾動操作部品１２の操作軸１２ａは図７に示すように、パネル８の操作軸挿通穴８ａを挿通する。操作軸挿通穴８ａの周囲に形成された円筒形のリブ８ｂはパネル８の面より突出している。リブ８ｂの周囲には円形溝８ｃが形成されている。
【００３６】
操作軸挿通穴８ａは操作軸１２ａに対して隙間が生じる程度に大きく、操作軸１２ａは図７に示すように傾動可能である。実施例１と同様の防水パッキング４はその下端が円形溝８ｃに嵌合するようにリブ８ｂに被せられリング形状部材６によりリブ８ｂの周囲に圧接されている。
【００３７】
防水パッキング４の穴４ａは操作軸１２ａに圧接し第１シール部ａを構成し、リブ８ｂに圧接する防水パッキング４の円筒面は第２シール部ｂを構成する。防水パッキング４は図７に示すように、倒れる方向に弾性変形して操作軸１２ａ傾動動作を可能とする。このように、傾動動作を行う操作部品にこの発明を適用することができる。
【産業上の利用可能性】
【００３８】
この発明の操作部品の操作軸回りの防水パッキング構造は、操作軸の長さに拘らず良好な防水機能が得られ、しかも、つまみで覆われるようにコンパクトに形成できるので、船舶等に搭載される電子機器に好適に利用できる。
【符号の説明】
【００３９】
１  パネル、１ａ  操作軸挿通穴、１ｂ  円形溝
２  回転操作部品、２ａ  操作軸、２ｂ  おねじ
３  つまみ、３ａ  操作軸嵌合穴
４  防水パッキング、４ａ  穴
５  ナット
６  リング形状部材
７  回転および上下動操作部品、７ａ  操作軸、７ｂ  おねじ
８  パネル、８ａ  操作軸挿通穴、８ｂ  リブ、８ｃ  円形溝
９  シャーシ
１０  ホルダ
１１  ねじ
１２  回転および傾動操作部品、１２ａ  操作軸
ａ  第１シール部、ｂ  第２シール部
１０１  操作パネル
１０２  ロータリ部品
１０３  軸受
１０４  ナット
１０５  シャフト
１０６  つまみ
１０７  パッキング、１０７ａ  ボス、１０７ｂ  ヘラ
ｃ  第１シール部、ｄ  第２シール部
【図１】
2010287366.tif 000003
【図２】
2010287366.tif 000004
【図３】
2010287366.tif 000005
【図４】
2010287366.tif 000006
【図５】
2010287366.tif 000007
【図６】
2010287366.tif 000008
【図７】
2010287366.tif 000009
【図８】
2010287366.tif 000010
【図９】
2010287366.tif 000011
【図１０】
2010287366.tif 000012
【図１１】
2010287366.tif 000013
【図１２】
2010287366.tif 000014
【図１３】
2010287366.tif 000015